(57)【要約】【課題】  本発明は技術者にとっては楽に作業ができ、利用者にとっては首が疲れず、気分も悪くなることなくリラックスした状態で洗髪やトリートメント、頭部へのオイルマッサージ等を受けることができるとともに、髪をいためず、マッサージ効果も得ることができる頭部支持具を得るにある。【解決手段】本発明は美容院、理髪店、エステティック、リラクゼーションマッサージ等を行う施設等で使用される洗髪台の上部周縁部位あるいは頭部へのオイルマッサージ用機械のボール部周縁部位に載架される板材で形成されたアーム部材のほぼ中央部位に洗髪やトリートメント、頭部のオイルマッサージ等を受ける利用者の頭部を支えるための頭部支持凹部を形成して頭部支持具を構成している。【選択図】  図２
2006181039.tif 000002
【特許請求の範囲】
【請求項１】
美容院、理髪店、エステティック、リラクゼーションマッサージ等を行う施設等で使用される洗髪台の上部周縁部位あるいは頭部へのオイルマッサージ用機械のボール部周縁部位に載架される板材で形成されたアーム部材のほぼ中央部位に洗髪やトリートメント、頭部のオイルマッサージ等を受ける利用者の頭部を支えるための頭部支持凹部を形成したことを特徴とする頭部支持具。
【請求項２】
美容院、理髪店、エステティック、リラクゼーションマッサージ等を行う施設等で使用される洗髪台の上部周縁部位あるいは頭部へのオイルマッサージ用機械のボール部周縁部位に載架されるアーム部材と、該アーム部材の任意の部位に固定的あるいは着脱可能に取り付けられる洗髪やトリートメント、頭部のオイルマッサージ等を受ける利用者の頭部を支えるための頭部支持部材とからなることを特徴とする頭部支持具。
【請求項３】
美容院、理髪店、エステティック、リラクゼーションマッサージ等を行う施設等で使用される洗髪台の上部周縁部位あるいは頭部へのオイルマッサージ用機械のボール部周縁部位に載架されるアーム部材と、該アーム部材の任意の部位にスライド移動可能に取り付けられる洗髪やトリートメント、頭部のオイルマッサージ等を受ける利用者の頭部を支えるための頭部支持部材とからなることを特徴とする頭部支持具。
【請求項４】
前記頭部支持部材は、前記アーム部材の任意の部位に取り付けられる頭部支持部材本体と、該頭部支持部材本体に設けたられた利用者の頭部を支え弧状にスライド移動可能に取り付けられた頭部の角度調整機構とからなることを特徴とする前記請求項２および３に記載の頭部支持具。
【請求項５】
前記アーム部材は、一方のアーム部材と該一方のアーム部材にスライド移動可能に支持される他方のアーム部材とからなる一対のアーム部材としたことを特徴とする前記請求項２、３および４に記載の頭部支持具。
【請求項６】
前記一対のアーム部材は、一方のアーム部材と他方のアーム部材間にスプリングを介装し、内側方向に付勢力がかかるようにしたことを特徴とする前記請求項５に記載の頭部支持具。
【請求項７】
目的や用途に応じて前記頭部支持部材の代わりに着脱可能に取り付けられる前記頭部支持部材とは形状の異なる予備頭部支持部材を備えることを特徴とする前記請求項２、３、４，５および６に記載の頭部支持具。
【請求項８】
板材で形成されたアーム部材の端部もしくは任意の部位にローズマリー、ラベンダー、カモミール、スペアミント、ユーカリ等の香りを手動あるいは電動により噴出させることができる香り噴出装置を設けたことを特徴とする前記請求項１に記載の頭部支持具。
【発明の詳細な説明】
【技術分野】
【０００１】
本発明は美容院、理髪店、エステティック、リラクゼーションマッサージ等を行う施設等で洗髪やトリートメント、頭部へのオイルマッサージ等を受ける際に使用される洗髪台やオイルマッサージ用機械に載架して使用する頭部支持具に関する。
【背景技術】
【０００２】
従来、美容院、理髪店、エステティック、リラクゼーションマッサージ等を行う施設等で使用される洗髪台の上部周縁部の前面部位には、洗髪やトリートメント、頭部へのオイルマッサージ等を受ける利用者を仰向けに寝かした状態の時に、利用者の首の部分を支えるための窪みが形成されている。
【０００３】
従来洗髪やトリートメント、頭部へのオイルマッサージ等を行う際には、利用者を仰向けに寝かして洗髪台のボール部の窪みに首の部分を位置させ、技術者は利用者の頭部を片手で支えつつ、なおかつ利用者の襟元にシャンプー、水、リンス等が入らないように注意しながらすすいだり、２度洗いしたり、リンスしたり、トリートメントしたりするものである。
したがって、技術者にとって洗髪は手間のかかるものであり、重労働であるという欠点があった。特にヘアーダイ、カラーリング等毛染めを施した後の洗髪は、色の付いた染毛剤によって利用者の衣服等を汚さないように細心の注意が必要なため、気疲れするとともに、場合よっては利用者の衣服等を汚してしまうという欠点があった。
【０００４】
他方、利用者にとって洗髪台のボール部の窪みに首の部分を位置させた仰向けの状態はけっして楽な状態ではなく、トリートメント、頭部のオイルマッサージ等、時間が長くかかれば首が疲れたり、時には頭の位置が首の位置より下がった状態になるため、気分が悪くなるという欠点があった。
さらに、ヘアーダイ、カラーリング等毛染めを施した後の髪は強いダメージを受けているため、本来ならばトリートメントを施した常態で１０分から２０分は放置しておきたいところであるが、現状では利用者の首が疲れてしまうため５分から７分程度の放置が限度である。したがって、髪のケアが十分にできないという欠点があった。
【特許文献１】特に無し。
【発明の開示】
【発明が解決しようとする課題】
【０００５】
本発明は以上のような従来の欠点に鑑み、技術者にとっては楽に作業ができ、利用者にとっては首が疲れず、気分も悪くなることなくリラックスした状態で洗髪やトリートメント、頭部へのオイルマッサージ等を受けることができるとともに、髪をいためず、マッサージ効果も得ることができる頭部支持具を提供することを目的としている。
【０００６】
本発明の前記ならびにそのほかの目的と新規な特徴は次の説明を添付図面と照らし合わせて読むと、より完全に明らかになるであろう。ただし、図面はもっぱら解説のためのものであって、本発明の技術的範囲を限定するものではない。
【課題を解決するための手段】
【０００７】
上記目的を達成するために、本発明は美容院、理髪店、エステティック、リラクゼーションマッサージ等を行う施設等で使用される洗髪台の上部周縁部位あるいは頭部へのオイルマッサージ用機械のボール部周縁部位に載架される板材で形成されたアーム部材のほぼ中央部位に洗髪やトリートメント、頭部のオイルマッサージ等を受ける利用者の後頭部を支えるための頭部支持凹部を形成して頭部支持具を構成している。
【発明の効果】
【０００８】
以下の説明から明らかなように、本発明にあっては次に列挙する効果が得られる。
【０００９】
（１）美容院、理髪店、エステティック、リラクゼーションマッサージ等を行う施設等で使用される洗髪台の上部周縁部位あるいは頭部へのオイルマッサージ用機械のボール部周縁部位に載架される板材で形成されたアーム部材のほぼ中央部位に洗髪やトリートメント、頭部のオイルマッサージ等を受ける利用者の後頭部を支えるための頭部支持凹部を形成して頭部支持具を構成しているので、技術者は利用者の頭部を片手で支えることなく、両手を十分に使用して洗髪、すすぎ、トリートメント等をすることができる。
したがって、余裕ができるので楽に作業ができるとともに、片手で利用者の襟元にシャンプー、水、リンス等が浸入するのを防いだり、色の付いた染毛剤によって利用者の衣服等が汚れるのを防ぎながら髪を濯ぐことができる。
【００１０】
（２）前記（１）によって、利用者は楽な状態で仰向けになることができる。
したがって、首が疲れることなくリラックスした状態で洗髪やトリートメント、頭部へのオイルマッサージ等を受けることができるとともに、ヘアーダイ、カラーリング等で強いダメージを受けた髪を、従来とは異なり、トリートメントを施した常態で１０分から２０分は放置しておけるので十分ケアすることができる。
【００１１】
（３）利用者の首と洗髪台のボール部の窪みとの間に、暖かいタオル等を挟むととても気持ちの良いサービスが頻繁に行われているが、近年、頭部特に側頭部に癒しのつぼが集中していることが知られ、その部分を暖めるととても癒しの効果が高いことが判明しており、そういった場合においても前記（１）によって、利用者の頭部と本発明の頭部支持具との間に、暖かいタオルを挟むことができるので、癒しの効果を高めることができる。
【００１２】
（４）前記（１）によって、オイルマッサージ用機械を使用する場合も、首が疲れることなくリラックスした状態でオイルマッサージ受けることができる。
【００１３】
（５）前記（１）によって、構造が簡単で使いやすく、安価であるので実施が容易である。
【００１４】
（６）請求項２も前記（１）〜（５）と同様な効果が得られる。
【００１５】
（７）請求項３及び４も前記（１）〜（５）と同様な効果が得られるとともに、利用者の頭部を左右にゆすったり、角度を変えたりすることができるので、癒し効果やマッサージ効果が得られる。
【００１６】
（８）請求項５も前記（１）〜（７）と同様な効果が得られるとともに、一対のアーム部材で幅の調節できるので、大きさの異なる洗髪台やオイルマッサージ用機械にも取り付けることができる。
【００１７】
（９）請求項６も前記（１）〜（８）と同様な効果が得られるとともに、より簡単に安定した状態で大きさの異なる洗髪台やオイルマッサージ用機械にも取り付けすることができる。
【００１８】
（１０）請求項７も前記（１）〜（９）と同様な効果が得られるとともに、目的や用途に応じてより最適な状態で利用者の頭部を支持することができる。
【発明を実施するための最良の形態】
【００１９】
以下、図面に示す本発明を実施するための最良の形態により、本発明を詳細に説明する。
【実施例１】
【００２０】
図１ないし図９に示す本発明を実施するための最良の第１の形態において、１は美容院、理髪店、エステティック、リラクゼーションマッサージ等を行う施設等で使用される洗髪台２の上部周縁部位３あるいは頭部へのオイルマッサージ用機械４のボール部周縁部位５に載架される、両端にほぼL字形状に形成された係止片６、６を有するアーム部材で、前記アーム部材１のほぼ中央部位には洗髪やトリートメント、頭部へのオイルマッサージ等をする利用者の頭部７を支えるための頭部支持凹部８が形成されている。
【００２１】
前記頭部支持凹部８には利用者の頭部にかけられたシャンプーやトリートメント、水やオイル等をスムーズに排水するための複数個の排水孔１０が形成されている。
【００２２】
上記構成の頭部支持具１１は、美容院、理髪店、エステティック、リラクゼーションマッサージ等を行う施設等で使用される洗髪台２で使用する場合には、図４ないし図７に示すように、洗髪台２の上部周縁部位３に本発明の頭部支持具１１を載架し、仰向け状態の利用者の頭部７を頭部支持凹部８に位置させて使用する。また、頭部７、あるいは側頭部７ａを暖める場合には図９に示すように頭部７、あるいは側頭部７ａと本発明の頭部支持具１１との間に暖かいタオル２１等を挟んで使用する。
【００２３】
さらに、美容院、理髪店、エステティック、リラクゼーションマッサージ等を行う施設等で使用される頭部へのオイルマッサージ用機械４で使用する場合には、図８に示すように、オイルマッサージ用機械４のボール部周縁部位５に本発明の頭部支持具１１を載架し、前記洗髪台２の場合と同様に使用する。
【００２４】
なお、前記洗髪台２および頭部へのオイルマッサージ用機械４どちらで使用する場合も、利用者にかけられたシャンプーやトリートメント、水やオイル等は頭部支持凹部８と利用者の頭部７との間に溜まることなく複数個の排水孔１０を通ってスムーズに排水される。
次に、図１０ないし図４２示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【実施例２】
【００２５】
図１０ないし図１５に示す本発明を実施するための第２の形態において、前記本発明を実施するための最良の第１の形態と主に異なる点は、パイプ材や棒材等で形成されたアーム部材本体１ａと該アーム部材本体１ａの両端部に枢止される合成ゴム、ポリエチレン樹脂等でほぼＬ字状に形成された係止片６Ａ、６Ａとからなるアーム部材１Ａと、前記アーム部材本体１ａに固定的あるいは着脱可能本実施の形態では着脱可能に取り付けられる底面に嵌合溝１２、１２が形成された利用者の頭部７を支えるための頭部支持部材１３を用いた点で、このようなアーム部材１Ａと頭部支持部材１３とを用いた頭部支持具１１Ａにしても、前記本発明を実施するための最良の第１の形態と同様な作用効果が得られる。
【００２６】
また、本実施の形態の頭部支持具１１Ａを洗髪台２に取り付ける場合には、図１５に示すように、左右の係止片６Ａ，６Ａを広げるように回動させた状態で洗髪台２上部から載架させ、その後左右の係止片６Ａ，６Ａを洗髪台２の両側面に押し付けるようにして回動させて取り付ける。
なお、本実施の形態では２本のパイプ材で形成されたアーム部材本体１ａに頭部支持部材１３の底面に形成された２本の嵌合溝１２，１２を上部より嵌合させる例について説明したが、これに限らずアーム部材本体に頭部支持部材を取り付けられる形状であれば、どのようなものを用いてもよい。
【実施例３】
【００２７】
図１６ないし図１９に示す本発明を実施するための第３の形態において、前記本発明を実施するための第２の形態と主に異なる点は、パイプ材で形成された一方のアーム部材１４と該一方のアーム部材１４のパイプ材の内寸よりもやや小寸法の外寸を有し、前記一方のアーム部材１４に横方向にスライド可能に係止される他方のアーム部材１５からなるアーム部材本体１ｂと、該アーム部材本体１ｂの両端部に枢止される合成ゴム、ポリエチレン樹脂等でほぼＬ字状に形成された係止片６Ａ、６Ａとからなるアーム部材１Ｂと、前記一方のアーム部材１４の他方のアーム部材１５寄りに穿設されたねじ孔１６に螺嵌して前記アーム部材本体１ｂを任意の寸法に固定することができる固定用蝶ナット１７を用いた点で、このようなアーム部材１Ｂと固定用蝶ナット１７を用いた頭部支持具１１Ｂにしても前記本発明を実施するための第２の形態と同様な作用効果が得られるとともに、安定して頭部支持具１１Ｂを洗髪台やオイルマッサージ用機械に取り付けることができる。
なお、本実施の形態の頭部支持具１１Ｂを洗髪台に取り付ける場合には、図１９に示すようにアーム部材１Ｂをスライドさせて洗髪台の幅に合わせるように調節し、固定用蝶ナット１７を締めて固定する。
その後、頭部支持部材１３をアーム部材１Ｂに取り付ける。
【実施例４】
【００２８】
図２０ないし図２４に示す本発明を実施するための第４の形態において、前記本発明を実施するための第３の形態と主に異なる点は、パイプ材の端部に前記支持片６Ａに枢止される接続部材１８、１８を固定的に取り付けた一方のアーム部材１４Ａと、該一方のアーム部材１４Ａのパイプ材内に、一端が一方のアーム部材１４Ａの支持片６Ａ寄りの端部に係止され、他端部が前記他方のアーム部材１５の端部に係止されたスプリング１９、１９を貫装した点で、このような一方のアーム部材１４Ａとスプリング１９、１９を用いた頭部支持具１１Cにしても前記本発明を実施するための第３の形態と同様な作用効果が得られるともに、スプリング１９、１９の付勢力により洗髪台に挟むことができるので、より手軽に、しかも安定して頭部支持具１１Ｃを取り付けることができる。
【実施例５】
【００２９】
図２５ないし図２８に示す本発明を実施するための第５の形態において、前記本発明を実施するための第２の形態と主に異なる点は、目的や用途に応じて前記頭部支持部材１３の代わりに着脱可能に取り付けられる前記頭部支持部材１３とは形状の異なる本実施の形態では弾性を有する前記頭部支持凹部８を用いない予備頭部支持部材２０を備えた点で、このような予備頭部支持部材２０を備えた頭部支持具１１Ｄにしても、前記本発明を実施するための第２の形態と同様な作用効果が得られるとともに、目的や用途に応じて頭部支持部材を選べるので、使用者にとってはより快適な姿勢を保つことができる。
【００３０】
本実施の形態では、例えば前記頭部支持部材１３を用いると、図２７に示すように頭部支持凹部８が形成されているため顔がほぼ水平な状態に保てる。したがって、額に当てたオイルが目の方向に多く流れるのを防ぐことができるので、頭部へのオイルマッサージを行う場合に適しているが、トリートメント液を髪に付け、トリートメント液が浸透するのをしばらく待つような場合には、図２８に示すように前記頭部支持部材１３に変えて予備頭部支持部材２０を用いた方が、より楽な姿勢を保つことができる。
なお、本実施例では第２の実施例に１個の予備頭部支持部材２０を備えた例について説明したが、これに限らず目的や用途に応じて複数個の予備頭部支持部材を備えてもよく、さらに他の実施例に予備頭部支持部材を備えてもよい。
【実施例６】
【００３１】
図２９ないし図３２に示す本発明を実施するための第６の形態において、前記本発明を実施するための第２の形態と主に異なる点は、前記アーム部材１Ａにスライド移動可能に頭部支持部材１３を取り付けた点で、このような頭部支持具１１Ｅにしても、前記本発明を実施するための第２の形態と同様な作用効果が得られるとともに、図３２に示すように利用者の頭部を左右にゆっくり揺らすことで癒し効果が得られる。
なお、本実施例に限らず、他の実施例に頭部支持部材１３をスライド移動可能に取り付けてもよい。
【実施例７】
【００３２】
図３３ないし図３８に示す本発明を実施するための第７の形態において、前記本発明を実施するための第２の形態と主に異なる点は、底面に嵌合溝１２、１２が形成された頭部支持部材本体１３ａと、該頭部支持部材本体１３ａに設けられた利用者の頭部を支え弧状にスライド移動可能に取り付けられた頭部の角度調整機構２２とから成る頭部支持部材１３Ａを用いた点で、このような頭部支持部材１３Ａを用いた頭部支持具１１Ｆにしても前記本発明を実施するための第２の形態と同様な作用効果が得られるとともに、利用者の頭部を曲げることにより首筋が伸びるのでマッサージ効果が得られる。
【００３３】
前記頭部の角度調整機構２２は前記該頭部支持部材本体１３ａに形成された弧状のガイド孔２３と、該ガイド孔２３に挿入される凸片２４が底面に形成され、上端部に握り部２５設けられたスライド頭部支持部材２６とで形成されている。
【００３４】
上記構成の頭部の角度調整機構２２を使用する場合は図３８に示すように、スライド頭部支持部材２６の握り部２５を持って左右に動かすと、頭部支持部材２６は凸片２４によりガイド孔２３に沿って弧状に移動する結果、利用者は無理なく首の筋を伸ばすことができる。したがってマッサージ効果が得られる。
なお本実施例に限らず、他の実施例に前記頭部支持部材１３Ａを取り付けてもよい。
【実施例８】
【００３５】
図３９ないし図４２に示す本発明を実施するための第８の形態において、前記本発明を実施するための第１の形態と主に異なる点は、前記板材で形成されたアーム部材の任意の部位本実施の形態においては両端部の係止片６、６にローズマリー、ラベンダー、カモミール、スペアミント、ユーカリ等数種類の香り２７を手動により噴出させることができる香り噴出装置２８を設けた点で、このような香り噴出装置２８を用いた頭部支持具１１Ｇにしても、前記本発明を実施するための第１の形態と同様な作用効果が得られるとともに、噴出された好みの香りによって利用者はよりリラックスすることができる。
なお、本実施例では従来技術のスプレーを利用し、６種類の香りを手動で噴出させる例について説明したが、これに限らず、香りは何種類でも良いことはもとより、電動で香りを噴出させたり、熱を利用して香りを発生させる等の技法を用いても良い。
また本実施例に限らず、他の実施例に前記香り噴出装置２８を取り付けてもよい。
【産業上の利用可能性】
【００３６】
本発明は頭部支持具を製造する産業で利用される。
【図面の簡単な説明】
【００３７】
【図１】本発明を実施するための最良の第１の形態の正面図。
【図２】本発明を実施するための最良の第１の形態の平面図。
【図３】図２の３−３線に沿う断面図。
【図４】本発明を実施するための最良の第１の形態の取り付け状態の平面図。
【図５】図４の５−５線に沿う断面図。
【図６】洗髪台での使用状態の平面図。
【図７】図６の７−７線に沿う断面図。
【図８】オイルマッサージ用機械での使用状態の平面図。
【図９】側頭部を暖める場合の使用説明図。
【図１０】本発明を実施するための第２の形態の正面図。
【図１１】本発明を実施するための第２の形態の平面図。
【図１２】本発明を実施するための第２の形態の底面図。
【図１３】図１０の１３−１３線に沿う拡大断面図。
【図１４】図１１の１４−１４線に沿う断面図。
【図１５】本発明を実施するための第２の形態の取り付け状態の説明図。
【図１６】本発明を実施するための第３の形態の正面図。
【図１７】本発明を実施するための第３の形態の平面図。
【図１８】本発明を実施するための第３の形態の底面図。
【図１９】本発明を実施するための第３の形態の取り付け状態の説明図。
【図２０】本発明を実施するための第４の形態の正面図。
【図２１】本発明を実施するための第４の形態の平面図。
【図２２】本発明を実施するための第４の形態の底面図。
【図２３】スプリングの取り付け状態の説明図。
【図２４】本発明を実施するための第４の形態の取り付け状態の説明図。
【図２５】本発明を実施するための第５の形態の正面図。
【図２６】本発明を実施するための第５の形態の平面図。
【図２７】本発明を実施するための第５の形態の使用状態の説明図。
【図２８】予備頭部支持部材を用いた場合の使用状態の説明図。
【図２９】本発明を実施するための第６の形態の正面図。
【図３０】本発明を実施するための第６の形態の平面図。
【図３１】本発明を実施するための第６の形態の底面図。
【図３２】本発明を実施するための第６の形態の使用状態の説明図。
【図３３】本発明を実施するための第７の形態の正面図。
【図３４】本発明を実施するための第７の形態の平面図。
【図３５】本発明を実施するための第７の形態の底面図。
【図３６】図３４の３６−３６線に沿う拡大断面図。
【図３７】本発明を実施するための第７の形態の動作説明図。
【図３８】本発明を実施するための第７の形態の使用状態の説明図。
【図３９】本発明を実施するための第８の形態の背面図。
【図４０】本発明を実施するための第８の形態の平面図。
【図４１】本発明を実施するための第８の形態の側面図。
【図４２】本発明を実施するための第８の形態の動作説明図。
【符号の説明】
【００３８】
１Ａ、１Ｂ：アーム部材、            １ａ、１ｂ：アーム部材本体
２：洗髪台、                        ３：上部周縁部位、
４：オイルマッサージ用機械、        ５：ボール部周縁部位、
６、６Ａ：係止片、                  ７：頭部、
８：頭部支持凹部、                  １０：排水孔
１１、１１Ａ〜１１Ｇ：頭部支持具、
１２：嵌合溝、                      １３、１３Ａ：頭部支持部材、
１３ａ：頭部支持部材本体、          １４、１４Ａ：一方のアーム部材、
１５：他方のアーム部材、            １６：ねじ孔、
１７：固定用蝶ボルト、              １８：接続部材、
１９：スプリング、                  ２０：予備頭部支持部材、
２１：タオル、                      ２２：頭部の角度調整機構、
２３：ガイド孔、                    ２４：凸片、
２５：握り部、                      ２６：スライド頭部支持部材、
２７：香り、                        ２８：香り噴出装置
【図１】
2006181039.tif 000003
【図２】
2006181039.tif 000004
【図３】
2006181039.tif 000005
【図４】
2006181039.tif 000006
【図５】
2006181039.tif 000007
【図６】
2006181039.tif 000008
【図７】
2006181039.tif 000009
【図８】
2006181039.tif 000010
【図９】
2006181039.tif 000011
【図１０】
2006181039.tif 000012
【図１１】
2006181039.tif 000013
【図１２】
2006181039.tif 000014
【図１３】
2006181039.tif 000015
【図１４】
2006181039.tif 000016
【図１５】
2006181039.tif 000017
【図１６】
2006181039.tif 000018
【図１７】
2006181039.tif 000019
【図１８】
2006181039.tif 000020
【図１９】
2006181039.tif 000021
【図２０】
2006181039.tif 000022
【図２１】
2006181039.tif 000023
【図２２】
2006181039.tif 000024
【図２３】
2006181039.tif 000025
【図２４】
2006181039.tif 000026
【図２５】
2006181039.tif 000027
【図２６】
2006181039.tif 000028
【図２７】
2006181039.tif 000029
【図２８】
2006181039.tif 000030
【図２９】
2006181039.tif 000031
【図３０】
2006181039.tif 000032
【図３１】
2006181039.tif 000033
【図３２】
2006181039.tif 000034
【図３３】
2006181039.tif 000035
【図３４】
2006181039.tif 000036
【図３５】
2006181039.tif 000037
【図３６】
2006181039.tif 000038
【図３７】
2006181039.tif 000039
【図３８】
2006181039.tif 000040
【図３９】
2006181039.tif 000041
【図４０】
2006181039.tif 000042
【図４１】
2006181039.tif 000043
【図４２】
2006181039.tif 000044